(57)【要約】      （修正有）【課題】容易に腕時計を自動的にセットし直すことが可能なステッピングモーターを備える電気機械式腕時計用のプレゼンテーションケースを提供する。【解決手段】ステッピングモーターを備える電気機械式腕時計２用のプレゼンテーションケース４であって、腕時計２を受ける受け台２４を有する箱８と、腕時計２の針６の位置を検出する針位置検出システム１０と、及び針位置検出システム１０に接続され、腕時計２が受け台２４上に置かれているときに針位置検出システム１０から受けた情報に基づいて腕時計２をセットし直すように構成している腕時計をセットし直す手段とを有し、セットし直す手段は、ステッピングモーター駆動手段を有し、駆動手段は、腕時計２が受け台２４上に置かれているときにステッピングモーターに対向するようにプレゼンテーションケース４の内側にて配置され、誘導結合によってステッピングモーターのローターを直接的に回転させる。【選択図】図１
2019078753.tif 000002
【特許請求の範囲】
【請求項１】
腕時計（２）の針（６）を駆動するステッピングモーターを備える電気機械式腕時計（２）用のプレゼンテーションケース（４）であって、
前記腕時計を受ける受け台（２４）を有する箱（８）と、
前記腕時計の針（６）の位置を検出する針位置検出システム（１０）と、及び
前記針位置検出システム（１０）に接続されており前記腕時計（２）が前記受け台（２４）上に置かれているときに前記針位置検出システム（１０）から受けた情報に基づいて前記腕時計（２）をセットし直すように構成している腕時計をセットし直す手段（１２）と
を有し、
当該プレゼンテーションケース（４）は、所定のタイプ及び／又は形の電気機械式腕時計を収容するように構成しており、
前記セットし直す手段（１２）は、電気機械式腕時計の前記タイプ及び／又は形に特有なステッピングモーター駆動手段（２８）を有し、
前記駆動手段（２８）は、前記腕時計（２）が前記受け台（２４）上に置かれているときに前記ステッピングモーターに対向するように当該プレゼンテーションケース（４）の内側にて配置されており、誘導結合によってステッピングモーターのローターを直接的に回転させるように構成している
ことを特徴とするプレゼンテーションケース（４）。
【請求項２】
前記駆動手段（２８）は、強磁性体のコア（４６）にマウントされており電力手段（２３）を介してパワー供給される少なくとも１つのコイル（４４）を有する
ことを特徴とする請求項１に記載のプレゼンテーションケース（４）。
【請求項３】
前記強磁性体のコア（４６）は、軟強磁性体の金属によって作られている
ことを特徴とする請求項２に記載のプレゼンテーションケース（４）。
【請求項４】
前記駆動手段（２８）は、回転可能にマウントされた磁石（４８）を有する
ことを特徴とする請求項１に記載のプレゼンテーションケース（４）。
【請求項５】
前記磁石（４８）は、電気モーター（５０）のアーバーにマウントされている
ことを特徴とする請求項４に記載のプレゼンテーションケース（４）。
【請求項６】
前記駆動手段（２８）は、前記腕時計のケース（５）の裏蓋（３０）が前記受け台（２４）に対向するように前記腕時計（２）が前記受け台（２４）上に置かれているときに、当該プレゼンテーションケース（４）の内側にて前記裏蓋（３０）の側にあるように配置されている
ことを特徴とする請求項１〜５のいずれかに記載のプレゼンテーションケース（４）。
【請求項７】
前記針位置検出システム（１０）は、光学的なシステムである
ことを特徴とする請求項１〜６のいずれかに記載のプレゼンテーションケース（４）。
【請求項８】
光学的な前記針位置検出システム（１０）は、前記腕時計（２）が前記受け台（２４）上に置かれているときに前記腕時計（２）の針（６）に実質的に対向するように構成しているカメラ（１０１）を有する
ことを特徴とする請求項７に記載のプレゼンテーションケース（４）。
【請求項９】
光学的な前記針位置検出システム（１０）は、前記腕時計（２）が前記受け台（２４）上に置かれているときに前記腕時計（２）の針（６）に対向するように構成している光学的センサーを有する
ことを特徴とする請求項７に記載のプレゼンテーションケース（４）。
【請求項１０】
当該プレゼンテーションケース（４）は、さらに、前記箱（８）にマウントされたフラップ部分（１４）を有し、
前記光学的なシステム（１０）は、前記フラップ部分（１４）が前記箱（８）上に閉じており前記腕時計（２）が前記受け台（２４）上に置かれているときに前記腕時計（２）の前記針（６）に対向するように前記フラップ部分（１４）の内側にて固定されている
ことを特徴とする請求項７〜９のいずれかに記載のプレゼンテーションケース（４）。
【請求項１１】
前記駆動手段（２８）は、２つの磁気導体（４５）を介して対角の対を形成するように接続しており実質的に対称的な十字の形を形成している４つのコイル（４４）を有しており、
前記コイル（４４）は、前記十字の端に配置されており、
前記コイル（４４）は、前記のように形成された前記十字の中心（４７）が、前記受け台（２４）上に置かれた腕時計ケース（５）の実質的に中心に対向して、前記コイルに電力供給された後には回転磁場が発生するように構成しており、
これによって、前記腕時計（２）の前記ステッピングモーターのローターを両方の回転方向にて回転させる
ことを特徴とする請求項１に記載のプレゼンテーションケース（４）。
【請求項１２】
当該プレゼンテーションケース（４）は、さらに、蓋（１４）と、及び
腕時計の存在及び／又は前記蓋が閉じていることを検出するセンサー（１６）とを有し、
前記センサー（１６）は、前記腕時計（２）をセットし直す手段（１２）に接続しており、
前記セットし直す手段（１２）は、前記センサー（１６）から受けた検出信号に基づいて腕時計をセットし直すプロセスを開始するように構成している
ことを特徴とする請求項１〜１１のいずれかに記載のプレゼンテーションケース（４）。
【請求項１３】
前記腕時計をセットし直す手段（１２）は、現在時刻にしたがって前記腕時計（２）の時刻をセットするように構成しており、
前記現在時刻は、基準システム（２０、２１、２２、２６）によって同期される
ことを特徴とする請求項１〜１２のいずれかに記載のプレゼンテーションケース（４）。
【請求項１４】
前記基準システムは、無線信号、ＧＰＳ信号、コンピューターネットワークからの信号、又は移動体電話の信号を受けるリモート型の基準システムである
ことを特徴とする請求項１３に記載のプレゼンテーションケース（４）。
【請求項１５】
当該プレゼンテーションケース（４）は、さらに、移動体通信デバイスとの通信手段（３４）を有する
ことを特徴とする請求項１〜１４のいずれかに記載のプレゼンテーションケース（４）。
【請求項１６】
電気機械式腕時計（２）を有するアセンブリー（１）であって、
ステッピングモーターと、及び前記腕時計（２）を受けるプレゼンテーションケース（４）とを備え、
前記プレゼンテーションケース（４）は、請求項１〜１５のいずれかに記載のプレゼンテーションケースである
ことを特徴とするアセンブリー（１）。
【発明の詳細な説明】
【技術分野】
【０００１】
本発明は、腕時計の針を駆動するステッピングモーターを備える電気機械式腕時計用のプレゼンテーションケースに関する。
【０００２】
本発明は、さらに、前記プレゼンテーションケースと、及びステッピングモーターを備える電気機械式腕時計とを有するアセンブリーに関する。
【背景技術】
【０００３】
針を備えた電気機械式腕時計の分野において、腕時計によって表示される時刻を変更するシステムが知られている。このようなシステムによって、タイムゾーンが変わったときや夏／冬時間が変わったときなどに、腕時計をセットし直すことが可能になる。
【０００４】
このような時刻変更システムは、例えば、欧州特許出願ＥＰ１５５３４６９Ａ１に記載されている。このシステムは、１つの例示的な実施形態において、カメラと時刻変更信号生成回路に接続しているコンピューターを有する時刻変更指示デバイスを備える。この腕時計は、この時刻変更信号に含まれる時刻変更データを受信する通信手段と、及び針を正確な時刻に動かす手段とを有する。この腕時計をフレーム上に配置して、針によって示される時刻を上から見ることができるようにし、カメラが針の位置の写真を撮ることができる。この写真がコンピューターへと送られて腕時計がディスプレーする時刻を認識する。そして、コンピューターは、信号生成回路を介して基準時刻を含む変更データを生成し、このデータを腕時計に送信する。しかし、このようなシステムには、通信手段と針を動かす手段を組み入れるために腕時計用ムーブメントを改変しなければならないという課題がある。また、このようなシステムは、かさばり、制約が多い。特に、時刻変更のためにコンピューターを用いることを必要とする。
【０００５】
前記課題を解決するために、受け台上に腕時計を受けるように構成しており腕時計をセットし直す手段を有する腕時計用プレゼンテーションケースが知られている。国際特許出願ＷＯ２０１２／１２６９７８Ａ１は、このようなプレゼンテーションケースを開示しており、この点に関して引用する。特定の例示的な実施形態によると、この文献に記載されたプレゼンテーションケースは、腕時計を受ける取り外し可能な受け台と、及びカメラに接続された腕時計の巻きデバイスとを有する。この巻きデバイスは、データ解析手段を有する。プレゼンテーションケースの取り外し可能な受け台上に腕時計が置かれると、カメラは、針の位置の画像を記録し、その画像を解析手段に送る。そして、この解析手段は、腕時計によってディスプレーされている時刻を判断し、この時刻を時刻基準と比較することによって、巻きデバイスに時刻変更指示を送信する。そして、この巻きデバイスは、巻きボタンに直接機械的に作用することによって腕時計を巻く。しかし、この提案されているプレゼンテーションケースの課題として、機械的に複雑であり、また、巻きボタンを有する腕時計をセットし直すことに制限されていることがある。
【発明の概要】
【発明が解決しようとする課題】
【０００６】
このような状況で、本発明は、制約がない形態で容易に腕時計を自動的にセットし直すことが可能になり、前記の現状の技術の課題を解決するような、ステッピングモーターを備える電気機械式腕時計用のプレゼンテーションケースを提供することを目的とする。
【課題を解決するための手段】
【０００７】
このために、本発明は、腕時計の針を駆動するステッピングモーターを備える電気機械式腕時計用のプレゼンテーションケースに関し、これは、独立請求項１に記載された特徴を有する。
【０００８】
従属請求項２〜１５に、プレゼンテーションケースの特定の実施形態が定められている。
【０００９】
電気機械式クオーツ腕時計のような電気機械式腕時計は、典型的には、歯車列による腕時計の針を駆動するラベットモーター（Lavet motor）のようなステッピングモーターを有する。
【００１０】
本発明のプレゼンテーションケースの１つの利点は、腕時計をセットし直す手段が、誘導結合によってステッピングモーターのローターの直接的な回転を制御するように構成しているステッピングモーター駆動手段を有することに基づいている。この駆動手段は、腕時計が受け台に置かれたときにステッピングモーターに対向するようにプレゼンテーションケースの内側に配置される。したがって、電気機械式腕時計は、ステッピングモーターに対する駆動手段の直接的な誘導結合作用によって、プレゼンテーションケース内で容易かつ迅速にセットし直される。
【００１１】
本発明の別の利点として、本発明が提案するセットし直すシステムが腕時計用ムーブメントの改変を必要としないということがある。したがって、このプレゼンテーションケースは、前記ムーブメントのいずれの改変も必要とせずに、ステッピングモーターを備えるいずれの電気機械式腕時計用ムーブメントに対しても機能を発揮することができる。
【００１２】
本発明の第１の実施形態によると、前記駆動手段は、強磁性体のコアにマウントされており電力手段によってパワー供給される少なくとも１つのコイルを有する。
【００１３】
本発明の第２の実施形態によると、前記駆動手段は、回転可能にマウントされた磁石を有する。この第２の実施形態の利点として、両方の回転方向にて、ステッピングモーターを、したがって、針を、回転させることを可能にするということがある。このことによって、腕時計をセットし直す時間を短縮することができる。
【００１４】
好ましいことに、当該プレゼンテーションケースは、さらに、箱にマウントされたフラップ部分を有し、針の位置を検出する光学的なシステムが、前記フラップ部分が箱上に閉じており腕時計が受け台上に置かれているときに腕時計の針に対向するように、前記フラップ部分の内側にて固定されている。このことによって、箱の内側の空間が解放されて、プレゼンテーションケースの内側の空間が最適化される。フラップ部分は、例えば、蓋である。
【００１５】
好ましいことに、プレゼンテーションケースは、さらに、蓋と、及び腕時計の存在及び／又は蓋が閉じていることを検出するセンサーを有する。このセンサーは、腕時計をセットし直す手段に接続されており、このセットし直す手段は、前記センサーから受けた検出信号に基づいて腕時計をセットし直すプロセスを開始するように構成している。このことによって、腕時計が受け台上に配置されたとき及び／又は蓋が閉じられたときから、腕時計をセットし直すプロセスを完全に自動化することができる。
【００１６】
このために、本発明は、さらに、独立請求項１６に記載された特徴を有する、上記のプレゼンテーションケースを有するアセンブリーに関する。
【００１７】
図面に描かれた少なくとも１つの実施形態に基づく下の説明を読むことによって、電気機械式腕時計用の本発明に係るプレゼンテーションケースの目的、利点及び特徴がより明確になるであろう。なお、これに限定されない。
【図面の簡単な説明】
【００１８】
【図１】電気機械式腕時計及び本発明に係るプレゼンテーションケースを有するアセンブリーの斜視図である。
【図２】１つの例示的な実施形態における図１のプレゼンテーションケースの電子部品の簡略ブロック図である。
【図３】本発明の第１の実施形態におけるプレゼンテーションケースの１つの部分の斜視図である。
【図４】図３のプレゼンテーションケースの平面図である。
【図５】本発明の第２の実施形態におけるプレゼンテーションケースの１つの部分の斜視図である。
【発明を実施するための形態】
【００１９】
以下においては、電気機械式腕時計用のプレゼンテーションケース、特に、電気機械式クオーツ腕時計用のプレゼンテーションケース、を引用して説明する。このプレゼンテーションケースのすべての電子部品は、当業者に周知であり、簡略化して説明する。具体的には、当業者は、これらの様々な電子部品を適応させてプレゼンテーションケースを動作させるように一緒にはたらかせる方法を知っているはずである。
【００２０】
図１は、電気機械式腕時計２と、及びこの腕時計２を受けるプレゼンテーションケース４とを有するアセンブリー１を示している。電気機械式腕時計２には、腕時計ケース５があり、これは、測時技術において伝統的に用いられている任意の反磁性体によって作ることができる。また、腕時計ケース５は、常磁性、非磁性、サファイア又は弱強磁性体で作ることもできる。腕時計ケース５は、通常の設計の計時器用ムーブメント（図示せず）を収容しており、表盤の上にて、針６によって形成されたディスプレー手段が動く。表盤は、腕時計ケース５を閉じる風防７によって保護される。伝統的な形態で、腕時計ケース５は、さらに、計時器用ムーブメントの歯車列を介して腕時計の針６を駆動するステッピングモーター（図示せず）を収容している。このようなステッピングモーターは、典型的には、ラベットモーターである。腕時計２は、例えば、クオーツ腕時計であるが、これは、本発明の文脈において制限されない。
【００２１】
図１において、プレゼンテーションケース４は、さらに、針６の位置を検出する検出システム１０を有する。この検出システム１０は、腕時計受け台２４上に配置された腕時計２の針６の上にありプレゼンテーションケースを閉じる蓋１４の内側に配置された少なくとも１つのカメラ１０１を有する。また、蓋１４の内ドーム１０３内に、光源群１０２を配置することができ、この光源群１０２は、例えば、蓋が閉まる平面と平行に環状の光源群１０２を形成するようにすることができる。この光源群は、発光ダイオード群であることができ、好ましくは、規則的に間隔を空けて配置される。カメラ１０１は、ドームの頂上部分に位置しており、環状の光源群１０２に対して中央配置されている。内ドーム１０３は、光源が発生させた光を拡散させて、カメラ１０１による針６の位置の検出を促進することを可能にする。当然、腕時計の針の位置を検出するカメラの代わりに、光学的センサーを設けることができる。
【００２２】
プレゼンテーションケース４は、箱８を有する。図２に示しているように、プレゼンテーションケース４は、さらに、腕時計２の針６の位置を検出するシステム１０と、及び腕時計２をセットし直す手段１２とを有する。図１に示している例示的な実施形態では、プレゼンテーションケース４は、さらに、箱８にマウントされる蓋１４を有する。図２に示している好ましい実施形態によれば、プレゼンテーションケース４は、さらに、腕時計２の存在及び／又は蓋１４が閉じていることを検出するセンサー１６を有する。好ましくは、プレゼンテーションケース４は、さらに、ディスプレー兼アクティブ化手段１８、通信手段２０、移動体電話信号レシーバー２１、無線又はＧＰＳ（全地球測位システム）の信号レシーバー２２、非常に正確であり温度補償されるタイムベース、及び電力手段２３を有することができる。
【００２３】
好ましくは、プレゼンテーションケース４は、所定のタイプ及び／又は形の電気機械式腕時計２を収容するように構成している。このために、箱８は、その腕時計２のタイプ及び／又は形に適合する腕時計２を受ける受け台２４を有する。図３〜５に、この種の受け台２４を示している。
【００２４】
図２に示しているように、針６の位置を検出するシステム１０は、腕時計２をセットし直す手段１２に接続される。好ましくは、針６の位置を検出するシステム１０は、光学的なシステムである。第１の例示的な実施形態において、針６の位置を検出するシステム１０は、図１に示しているカメラ１０１を有する。カメラ１０１は、腕時計２が受け台２４に置かれたときに実質的に腕時計２の針６に対向するように構成している。このために、カメラは、例えば、蓋１４が箱８上で閉じているときに実質的に針６に対向するように蓋１４の内側に固定されている。図１に示しているように、カメラ１０１は、例えば、ドーム１０３の内側にて腕時計２を照らすように意図された発光ダイオード１０２によって構成する付加的なシステムを備えることができ、このカメラ１０１は、例えば、蓋１４が箱８上にて閉じているときに腕時計ケース５の風防７からの距離が実質的に３〜４ｃｍであるように蓋１４上の位置に固定される。このようなカメラ１０１の利点として、腕時計２をセットし直す時間を節約することができ、また、このカメラ１０１が提供する針位置検出が腕時計２の形に依存しないことがある。カメラ１０１が腕時計２の針６の正確に反対側に位置する必要はないので、ケース４として比較的標準的なプレゼンテーションケースを用いることができる。針位置検出システムとしてカメラ１０１を用いることは、暦機構を有する針を備えた腕時計の場合に特に適している。
【００２５】
第２の実施形態の例において、針６の位置を検出するシステム１０は、光学的センサー（図示せず）を有する。この光学的センサーは、腕時計２が受け台２４上に置かれているときに腕時計２の針６の正確に反対側にあるように構成している。このために、光学的センサーは、例えば、蓋１４が箱８上にて閉じているときに針６に対向するように蓋１４の内側にて固定される。光学的センサーは、例えば、蓋１４が箱８上にて閉じているときに腕時計ケース５の風防７と同じ高さにあるような蓋１４上の位置、例えば、数ミリメートル離れている位置に、固定される。このような光学的センサーの利点は、比較的単純で廉価な部品であることである。
【００２６】
セットし直す手段１２は、腕時計２が受け台２４上に置かれているときに針６の位置を検出するシステム１０から受けた情報に基づいて腕時計２をセットし直すように構成している。このために、セットし直す手段１２は、データ解析手段２６、時刻基準、及び腕時計２のステッピングモーターを駆動する手段２８を有する。
【００２７】
図２に示しているように、データ解析手段２６は、腕時計２のステッピングモーター駆動手段２８に、腕時計２の存在及び／又は蓋１４が閉じていることを検出するセンサー１６に、ディスプレー兼アクティブ化手段１８に、内部時刻基準に、有線又は無線の通信手段２０に、移動体電話信号レシーバー２１に、無線又はＧＰＳ信号レシーバー２２に、そして、電力手段２３に、接続されている。また、データ解析手段２６は、例えば、フレキシブルな電子回路２９を介して、針６の位置を検出するシステム１０に接続される。データ解析手段２６は、例えば、マイクロプロセッサーで作られている。マイクロプロセッサーは、さらに、時刻基準を格納することができる。
【００２８】
腕時計２のステッピングモーター駆動手段２８は、腕時計２が受け台２４上に置かれているときにステッピングモーターに対向するようにプレゼンテーションケース４の内側に配置されている。好ましくは、駆動手段２８は、腕時計２が受け台２４上に置かれているときに腕時計ケース５の裏蓋３０の側にて裏蓋３０に対向するように、プレゼンテーションケース４の内側に配置される。このために、図３〜５に示しているように、駆動手段２８は、例えば、受け台２４の内側に配置される。駆動手段２８は、誘導結合によって腕時計２のステッピングモーターローターの回転を制御するように構成している。以下、図３〜５を参照しながら、駆動手段２８のいくつかの異なる例示的な実施形態について説明する。
【００２９】
腕時計２の存在及び蓋１４が閉じていることを検出するセンサー１６は、例えば、受け台２４の内側又は外側にてプレゼンテーションケース４の内側にて固定される。腕時計存在センサー１６は、例えば、腕時計２が受け台２４上に置かれているときに腕時計ケース５の裏蓋３０の側にて裏蓋３０に対向するように、プレゼンテーションケース４の内側に配置されるフィーラーアームである。図示していない変種において、腕時計２の存在及び蓋１４が閉じていることを検出するセンサーは、腕時計２の針６の位置を検出する光学的なシステム１０によって形成される。データ解析手段２６は、例えば、下において詳細に説明するように、センサー１６から受けた検出信号に基づいて腕時計２をセットし直すプロセスを開始するように構成している。
【００３０】
ディスプレー兼アクティブ化手段１８は、例えば、いくつかのアクティブ化ボタン及びいくつかの発光ダイオードを有する。これらの発光ダイオードは、プレゼンテーションケース４の動作、特に、腕時計２をセットし直すこと、に関連する視覚的インジケーションを与えるように意図されている。
【００３１】
図２に示しているように、通信手段２０は、例えば、マイクロＵＳＢソケット３２と、及びアンテナとともに用いられる移動体通信デバイス（図示せず）との通信用のモジュール３４を有する。マイクロＵＳＢソケット３２は、電力手段２３に接続され、ＵＳＢフォーマットと互換性がある外部電源を介して前記手段をチャージすることを可能にするように意図されている。通信モジュール３４は、例えば、Bluetooth（登録商標）規格に準拠する双方向通信モジュールである。変種の１つにおいて、通信モジュール３４は、ＮＦＣ規格に準拠する双方向通信モジュール、又は「ライトプログラミング（light programming）」タイプの単方向通信モジュールであることができる。
【００３２】
移動体電話信号レシーバー２１、例えば、ＧＳＭ（登録商標）信号のレシーバーには、通信モジュール及び信号レシーバーアンテナがある。
【００３３】
無線又はＧＰＳ信号レシーバー２２には、通信モジュール及び信号レシーバーアンテナがある。
【００３４】
図２に示しているように、電力手段２３には、例えば、チャージャー３６とアキュムレーター３８がある。チャージャー３６は、データ解析手段２６及びマイクロＵＳＢソケット３２に接続されている。アキュムレーター３８は、例えば、２つの電線４０によって、チャージャー３６に接続される。
【００３５】
図２に示した例示的な実施形態において、データ解析手段２６、腕時計２のステッピングモーター駆動手段２８、ディスプレー兼アクティブ化手段１８、通信手段２０、移動体電話信号レシーバー２１、無線又はＧＰＳ信号レシーバー２２、及びチャージャー３６はすべて、共通のプリント回路４２上にて接続される。
【００３６】
好ましくは、セットし直す手段１２、特に、データ解析手段２６は、現在時刻によって腕時計２をセットするように構成している。現在時刻は、基準システム、例えば、埋め込まれた又はリモート型の基準システムによって同期される。リモート型の基準システムは、例えば、レシーバー２２による無線又はＧＰＳ信号の受信、通信手段２０によるコンピューターネットワークからの信号の受信、又はレシーバー２１による移動体電話信号の受信を行う。これらの信号の一又は複数を受信することによって、マイクロプロセッサー２６又はプリント回路４２に格納された時刻基準を更新することができる。例えば、このような時刻基準をプリント回路４２上に配置された精密クオーツによって提供することができる。
【００３７】
以下、図３及び４を参照しながら本発明の第１の実施形態について説明する。この第１の実施形態において、腕時計２のステッピングモーター駆動手段２８は、少なくとも１つのコイル４４を有する。図３及び４に示している例示的な実施形態では、駆動手段２８は、４つのコイル４４を有する。図４に示しているように、この例において、４つのコイル４４は、２つの磁気導体４５を介して対角の対を形成するように接続しており、実質的に対称的な十字を形成してコイル４４がその十字の端に配置される。コイル４４は、好ましいことに、このようにして形成された十字の中心４７が、腕時計ケース５が回転対称を定めているときに、腕時計ケース５が受け台２４上に配置された後に、腕時計ケース５の中心に実質的に対向するように構成している。この特定の４つのコイル４４の構成によって、コイルに電力供給された後に、回転磁場を得ることができる。この回転磁場は、腕時計２のステッピングモーターとの直接的な誘導結合を発生させる。コイル４４は、例えば、この磁場の値が典型的には０．０２テスラのオーダーであるように選択される。このように構成している４つのコイル４４を使用することの利点として、腕時計２のステッピングモーター、したがって、針６、を両方の回転方向にて回転させることを可能にすることがある。
【００３８】
コイル４４はそれぞれ、強磁性体のコア４６上にマウントされ、電源によってパワー供給される。強磁性体のコア４６は、例えば、軟強磁性体の金属によって形成されている。好ましくは、電力手段２３によって電源が形成される。図３及び４に示している例示的な実施形態において、４つのコイル４４が、それらが定める十字構成の中心４７の内側の方に、プリント回路４２の平面に対して傾けられている。コイル４４は、プリント回路４２の平面に対して角度を形成するように傾けられ、この角度の値は、４つのコイル４４すべてに対して同じである。この構成によって、コイル４４の内側に水平磁場を作って、回転磁場が腕時計２のステッピングモーターと実質的に水平に係合するようにすることができる。このことによって、磁気結合効率が改善する。
【００３９】
図示していない１つの変種において、駆動手段２８は、例えば、２つのコイル４４を有することができる。この変種によって、コイル４４に電力供給された後に水平磁場を得ることができる。これによって、腕時計２の針６が一方の回転方向にのみ回転することができる。この変種において、コイル４４は、例えば、発生する磁場の値が典型的には０．０２テスラのオーダーであるように選ばれる。
【００４０】
図５は、本発明の第２の実施形態を示している。これにおいて、上記の第１の実施形態と同様な要素には、同じ参照符号を割り当てており、したがって、このような要素については再び説明しない。
【００４１】
この第２の実施形態において、腕時計２のステッピングモーター駆動手段２８は、いずれのコイルをも備えず、回転可能にマウントされた磁石４８を有する。図５に示している例示的な実施形態では、磁石４８は、電力手段２３によってパワー供給される電気モーター５０によって回転可能にマウントされている。磁石４８は、電気モーター５０のアーバーにマウントされる。
【００４２】
回転する磁石４８によって、電気モーター５０に電力供給された後に、回転磁場を得ることができる。この回転磁場は、腕時計２のステッピングモーターとの磁気的結合を発生させる。磁石４８は、例えば、この磁場の値が典型的には０．０２テスラのオーダーであるように選ばれる。
【００４３】
電気モーター５０の速さは、マイクロプロセッサー２６によって制御される。電気モーター５０は、例えば、エンコーダーを備える直流モーターである。１つの変種において、電気モーター５０は、ステッピングモーターであることができる。
【００４４】
回転可能にマウントされた磁石４８を用いる１つの利点は、両方の回転方向にて、腕時計２のステッピングモーター、したがって、針６、を回転させることを可能にすることである。好ましいことに、このことによって、腕時計２をセットし直す時間を減らすことができる。
【００４５】
以下、本発明に係るプレゼンテーションケース４の動作について説明する。まず、腕時計２が、プレゼンテーションケース４の内側にて受け台２４上に配置される。
【００４６】
プレゼンテーションケース４によって実装される、腕時計２をセットし直すプロセスを、ユーザーによって手動にて又は自動的に、開始させることができる。
【００４７】
このプロセスをユーザーによって手動にて開始させる場合、蓋１４を閉じた後に、ユーザーは、例えば、ディスプレー兼アクティブ化手段１８に付属するアクティブ化ボタンを押す。
【００４８】
プレゼンテーションケース４が、腕時計２の存在及び蓋１４が閉じていることを検出するセンサー１６を有する場合、当該セットし直すプロセスは、自動的に開始され、その後に、センサー１６による検出が行われる。そして、センサー１６は、解析手段２６へと検出信号を送信し、この解析手段２６が当該セットし直すプロセスを開始させる。
【００４９】
両方の場合において、解析手段２６によって制御される検出システム１０は、腕時計２の針６の位置の検出を開始し、この針位置データを、腕時計２をセットし直す手段１２に送信する。より詳細には、解析手段２６は、針位置データを受け、それを利用可能な時刻基準と比較する。リモート型の基準システムを介して解析手段２６によって、時刻基準を更新することができる。この更新は、例えば、解析手段２６によって時刻基準信号を受信することによって可能になる。そして、解析手段２６は、比較結果に応じて、腕時計２を現在時刻にセットし直すコマンドを決め、このコマンドを駆動手段２８へと送信する。そして、駆動手段２８は、誘導結合によって、腕時計２のステッピングモーターローターの回転を発生させる。このことによって、モーターによって駆動される針６の運動が可能になる。そして、腕時計２のステッピングモーターは、針６が現在時刻に対応する位置に到達するまで回転駆動され、このことによって、当該プロセスが終了する。必要であれば、針の正しい位置の光学的な検査を行うことができる。
【００５０】
プレゼンテーションケース４が腕時計２のための存在センサーを有しており検出システム１０が光学的センサーを有するような特定の場合における２つの針６を備えた腕時計２をセットし直すプロセスの自動的な開始の一例を、以下のシーケンスによって提供する。
*  センサー１６によって、プレゼンテーションケース４の内側の腕時計２の存在を検出する。
*  解析手段２６によって、当該腕時計２をセットし直すプロセスを開始する。
*  解析手段２６によって、駆動手段２８へと腕時計２のステッピングモーターを回転させるコマンドを送信する。
*  駆動手段２８によって、腕時計２のステッピングモーターを高速回転させる（典型的には６０Ｈｚの周波数で）。ステッピングモーターを通常モードで、２０秒ごとに、すなわち、分針の１回転当たり１８０の位置において、アクチュエートする場合、２つの針６が光学的センサーを通過するように動くためには、最大３６秒が必要となる。
*  光学的センサーによって、針６の位置を検出し、針６の位置データを解析手段２６に送信する。
*  解析手段２６によって、内部時刻基準に応じて針６の新しい位置を計算する。
*  解析手段２６によって、腕時計２を現在時刻にセットし直すコマンドを駆動手段２８に送信する。
*  駆動手段２８によって、腕時計２の針６の高速ポジショニングをする（典型的には６０Ｈｚの周波数で）。
【００５１】
検出システム１０が光学的センサーではなくカメラを有するような変種において、腕時計２のステッピングモーターを回転させて検出システムを通過するように針６を動かす第１のステップは必要ではなくなる。
【符号の説明】
【００５２】
１  アセンブリー
２  腕時計
４  プレゼンテーションケース
５  腕時計ケース
６  針
８  箱
１０  針位置検出システム
１２  腕時計をセットし直す手段
１４  フラップ部分
１６  センサー
２０、２１、２２、２６  基準システム
２３  電力手段
２４  受け台
２８  駆動手段
３０  裏蓋
３４  通信手段
４４  コイル
４５  磁気導体
４６  コア
４７  十字の中心
４８  磁石
５０  電気モーター
１０１  カメラ
【図１】
2019078753.tif 000003
【図２】
2019078753.tif 000004
【図３】
2019078753.tif 000005
【図４】
2019078753.tif 000006
【図５】
2019078753.tif 000007